(57)【要約】  往復移動するキャリッジに支持され、被記録媒体に対して液体を噴射して記録を行う記録ヘッドと、液体収容体内の液体を前記記録ヘッドに導くとともに、前記記録ヘッドの往復移動に伴って前記記録ヘッド側が追従変形する液体供給チューブと、前記液体供給チューブを上下に仕切る仕切部材１０３と、を備え、前記液体供給チューブは、前記仕切部材１０３により折り返される第１の部分４８と、それよりもヘッド側で折り返され、追従変形する第２の部分１０２と、を備える記録装置。
2015136831.tif 000002
【特許請求の範囲】
【請求項１】
往復移動するキャリッジに支持され、被記録媒体に対して液体を噴射して記録を行う記録ヘッドと、  液体収容体内の液体を前記記録ヘッドに導くとともに、前記記録ヘッドの往復移動に伴って前記記録ヘッド側が追従変形する供給チューブと、  前記液体供給チューブを上下に仕切る仕切部材と、を備え、前記液体供給チューブは、前記仕切部材により折り返される第１の部分と、それよりもヘッド側で折り返され、追従変形する第２の部分と、を備える  ことを特徴とする記録装置。
【請求項２】
前記筐体内には中継器が設けられており、  前記第１の部分は、前記液体収容体と前記中継器とを接続する第１の供給チューブであり、  前記第２の部分は、前記中継器と前記記録ヘッドとを接続する第２の供給チューブである  請求項１に記載の記録装置。
【請求項３】
前記液体収容体が収納されるケースを有する液体収容ユニットを有し、  前記仕切部材の中に、前記液体収容ユニットに接続されている電線が配置されている  請求項１に記載の記録装置。
【請求項４】
前記仕切部材は、第１の仕切部材と第２の仕切部材とを有し、  前記電線は、前記第１の仕切部材と前記第２の仕切部材との間の隙間に配置されている  請求項３に記載の記録装置。
【請求項５】
前記第１の仕切部材及び前記第２の仕切部材は金属で構成されている  請求項４に記載の記録装置。
【請求項６】
前記液体収容体が収納されるケースを備え、  前記ケースは、前記キャリッジを収容する筐体において記録対象である被記録媒体の幅方向における一端に位置する側壁に取り付けられ、  前記中継器は、前記筐体内において前記幅方向における他端側に設けられている  請求項２に記載の記録装置。
【請求項７】
前記筐体の外部であって、且つ同筐体を挟んだ前記ケースの反対側に配置される別のケースと、  前記別のケース内に収納されている液体収容体内の液体を前記記録ヘッドに供給するための別の供給チューブと、を備える  請求項６に記載の記録装置。
【請求項８】
筐体と、  前記筐体内で走査方向に往復移動するキャリッジに支持され、被記録媒体に対して液体を噴射して記録を行う記録ヘッドと、  液体収容体内の液体を前記記録ヘッドに導く供給チューブと、  前記筐体内で引き回されている電線と、を備えた記録装置において、  前記筐体内を上下に仕切る仕切部材をさらに備え、  前記仕切部材よりも上側の領域及び下側の領域の一方には、前記供給チューブが位置し、前記上側の領域と前記下側の領域の他方には、前記電線が位置している  ことを特徴とする記録装置。
【請求項９】
前記液体収容体が収納されるケースを有する液体収容ユニットを有し、  前記電線は、前記液体収容ユニットから前記筐体内に導かれている電線である  請求項８に記載の記録装置。
【発明の詳細な説明】
【技術分野】
【０００１】  本発明は、例えばインクジェット式プリンターなどの記録装置に関する。
【背景技術】
【０００２】  記録装置として、インクを収容する液体収容体が収納されるケースを、記録ヘッドが内部に設けられている筐体の外部に設ける装置が知られている（例えば、特許文献１参照）。こうした記録装置では、ケースに収納されている液体収容体に接続されている供給チューブが、筐体内に導かれて記録ヘッドに接続されている。そして、液体収容体から供給されたインクを記録ヘッドが用紙などの媒体に対して噴射することにより、同媒体に記録が施される。
【先行技術文献】
【特許文献】
【０００３】
【特許文献１】特開２０１３−１２１６５９号公報
【発明の概要】
【発明が解決しようとする課題】
【０００４】  ところで、上記の記録装置では、筐体外でのケースの設置位置によっては筐体内で供給チューブを引き回す必要がある。すなわち、筐体内には、供給チューブを引き回すための空間を設けることとなるが、こうした空間が広いほど筐体が大型化してしまう。しかし、供給チューブを引き回すための空間を狭くした場合、走査方向に移動するキャリッジに記録ヘッドが支持されるシリアル方式の記録装置では、キャリッジの移動に伴って供給チューブの一部が同供給チューブの他の部分と干渉するおそれがある。また、筐体内においてキャリッジの移動に伴う供給チューブの移動領域と液体収容体に接続されている供給チューブの引き回し領域を同じ面で並べて配置すると、必要とする面積が大きくなり、筐体が大型化してしまう。【０００５】  また、筐体内において供給チューブの近傍に電線が引き回れていることがある。この場合、キャリッジの移動に伴って供給チューブが追従変形する場合には、追従変形する供給チューブが電線と干渉するおそれもある。【０００６】  本発明の目的は、筐体の外部に設けられている液体収容体内の液体を記録ヘッドに供給するための供給チューブを省スペースで引き回す、または、電線との干渉を無くすことで筐体内で好適に引き回すことができる記録装置を提供することにある。
【課題を解決するための手段】
【０００７】  上記目的を達成する記録装置は、往復移動するキャリッジに支持され、被記録媒体に対して液体を噴射して記録を行う記録ヘッドと、液体収容体内の液体を前記記録ヘッドに導くとともに、前記記録ヘッドの往復移動に伴って前記記録ヘッド側が追従変形する供給チューブと、前記液体供給チューブを上下に仕切る仕切部材と、を備え、前記液体供給チューブは、前記仕切部材により折り返される第１の部分と、それよりもヘッド側で折り返され、追従変形する第２の部分と、を備えることを特徴とする記録装置。【０００８】  上記構成によれば、仕切部材によって、筐体内の空間が上下に仕切られている。そして、供給チューブの仕切部材により折り返される第１の部分が、仕切部材よりも上側の領域及び下側の領域の一方に位置し、追従変形する第２の部分が、上側の領域及び下側の領域の他方に位置している。そのため、キャリッジの往復移動に伴って追従変形する部分と折り返された部分との干渉が仕切部材によって回避される。また、追従変形する部分の移動領域の上下方向に折り返された部分の引き回し領域を配置できるので、追従変形する部分の移動領域の上下方向の領域を有効活用できる。【０００９】  上記記録装置において、前記筐体内には中継器が設けられていることがある。この場合、前記第１の部分は、前記液体収容体と前記中継器とを接続する第１の供給チューブであり、前記第２の部分は、前記中継器と前記記録ヘッドとを接続する第２の供給チューブであることが好ましい。【００１０】  上記構成によれば、キャリッジの走査方向への移動に伴って追従変形する第２の供給チューブと、追従変形しない第１の供給チューブとの干渉を、仕切部材によって回避することができる。【００１１】  上記記録装置において、前記筐体の外部には、前記液体収容体が収納されるケースを有する液体収容ユニットを有し、前記仕切部材の中に、前記液体収容ユニットに接続されている電線が配置されていることが好ましい。この構成によれば、このように電線を仕切部材の中に設けることにより、筐体内での電線と供給チューブとの干渉を抑制することが可能となる。【００１２】  上記記録装置において、前記仕切部材は、第１の仕切部材と第２の仕切部材とを有し、前記電線は、前記第１の仕切部材と前記第２の仕切部材との間の隙間に配置されていることが好ましい。この構成によれば、電線を仕切部材の中に配置する構成を容易に実現させることができる。【００１３】  上記記録装置において、前記第１の仕切部材及び前記第２の仕切部材は金属で構成されていることが好ましい。この構成によれば、電線に流れている信号への電気的なノイズの重畳を抑制することができる。【００１４】  上記記録装置は、前記液体収容体が収納されるケースを備えるようにしてもよい。この場合、前記ケースは、前記キャリッジを収容する筐体において記録対象である被記録媒体の幅方向における一端に位置する側壁に取り付けられ、前記中継器は、前記筐体内において前記幅方向における他端側に設けられていることが好ましい。【００１５】  上記構成によれば、筐体内では、第１の供給チューブが、上記幅方向における一端から他端まで引き回される。そして、このように第１の供給チューブを、筐体内の一端から他端まで引き回す場合であっても、第１の供給チューブの位置する領域と、第２の供給チューブの位置する領域とが仕切部材によって仕切られているため、第２の供給チューブによって邪魔されることなく、第１の供給チューブを筐体内で引き回すことができる。【００１６】  上記記録装置は、前記筐体の外部であって、且つ同筐体を挟んだ前記ケースの反対側に配置される別のケースと、前記別のケース内に収納されている液体収容体内の液体を前記記録ヘッドに供給する別の供給チューブと、を備えることが好ましい。【００１７】  上記構成によれば、筐体の一方側にケースが配置され、他方側に別のケースが配置されることとなる。こうした場合、ケース内に収納されている液体収容体に接続される供給チューブは、筐体内を上記幅方向における一方側から他方側に引き回されることとなる。そして、こうした供給チューブを構成する第２の供給チューブと第１の供給チューブとの干渉が仕切部材によって好適に回避することができる。【００１８】  また、上記目的を達成する記録装置は、筐体と、前記筐体内で往復移動するキャリッジに支持され、被記録媒体に対して液体を噴射して記録を行う記録ヘッドと、液体収容体内の液体を前記記録ヘッドに導く供給チューブと、前記筐体内で引き回されている電線と、を備えた装置を前提としている。この記録装置は、前記記録ヘッドによって記録が行われている被記録媒体の被記録面と交差する方向を上下方向とした場合、前記筐体内を上下に仕切る仕切部材をさらに備えている。そして、前記仕切部材よりも上側の領域及び下側の領域の一方には、前記供給チューブが位置し、前記上側の領域と前記下側の領域の他方には、前記電線が位置している。【００１９】  上記構成によれば、仕切部材によって、筐体内の空間が上下に仕切られている。そして、供給チューブが、仕切部材よりも上側の領域及び下側の領域の一方に位置し、電線が、上側の領域及び下側の領域の他方に位置している。そのため、キャリッジの走査方向への移動に伴って供給チューブが追従変形しても、供給チューブと電線との干渉が仕切部材によって回避される。したがって、筐体の外部に設けられている液体収容体内の液体を記録ヘッドに供給するための供給チューブを筐体内で好適に引き回すことができる。【００２０】  上記記録装置において、前記筐体の外部には、前記液体収容体が収納されるケースを有する液体収容ユニットが設けられており、前記電線は、前記液体収容ユニットから前記筐体内に導かれている電線であることが好ましい。この構成によれば、液体収容ユニットから筐体内に導かれた電線と、供給チューブとの筐体内での干渉を抑制することができる。
【図面の簡単な説明】
【００２１】
【図１】記録装置の一実施形態を示す斜視図。
【図２】記録装置で用いられる液体収容体を模式的に示す斜視図。
【図３】蓋体を空けた状態の第１の液体収容ユニットを示す斜視図。
【図４】第１の液体収容ユニットを回動させた状態を示す斜視図。
【図５】第１の液体収容ユニット内でのチューブとケーブルの引き回し態様を示す平面図。
【図６】第２の液体収容ユニット内でのチューブとケーブルの引き回し態様を示す平面図。
【図７】（ａ）は意匠カバーが取り外された記録ユニットを示す斜視図、（ｂ）は筐体を構成するカバー部材を示す斜視図。
【図８】カバー部材において第１の液体収容ユニットが取り付けられる側壁部の一部を拡大した斜視図。
【図９】カバー部材が取り外された記録ユニットを示す斜視図。
【図１０】カバー部材及び閉塞部材が取り外された記録ユニットを示す斜視図。
【図１１】カバー部材において第２の液体収容ユニットが取り付けられる側壁部の一部を拡大した斜視図。
【図１２】筐体内での第１の供給チューブの引き回し態様の一部を示す斜視図。
【図１３】筐体内の内部構成を示す斜視図。
【図１４】第１の供給チューブの位置する領域と第２の供給チューブの位置する領域とが仕切られている状態を示す図。
【図１５】第１の供給チューブの位置する領域と第２の供給チューブの位置する領域とを仕切る仕切部材及びその周辺部材の分解斜視図。
【図１６】各第１の供給チューブが中継器に接続されている様子を示す斜視図。
【図１７】各第１の供給チューブを束ねる拘束部材とその周辺を拡大した斜視図。
【図１８】拘束部材を示す平面図。
【図１９】筐体内の内部構成を示す平面図。
【図２０】第１の液体収容ユニットが筐体に対して相対的に回動された状態を示す斜視図。
【図２１】別の実施形態の記録装置において、意匠カバーが取り外された状態の記録ユニットを示す斜視図。
【図２２】別の実施形態の記録装置において、筐体内の内部構成を示す斜視図。
【図２３】別の実施形態の記録装置において、第１の液体収容ユニットからの第１の供給チューブが筐体で引き回されている状態を示す斜視図。
【図２４】別の実施形態の記録装置において、第１の液体収容ユニットからの第１の供給チューブが筐体内で引き回されている様子を示す模式図。
【発明を実施するための形態】
【００２２】  以下、記録装置をインクジェット式の記録装置に具体化した一実施形態を図１〜図２０に従って説明する。  図１に示すように、記録装置１１は、被記録媒体の一例である用紙Ｐに対して記録を施す記録ユニット２０と、記録ユニット２０に液体の一例であるインクを供給するための２つの液体収容ユニット４０，６０とを備えている。記録ユニット２０の筐体２１内には、中継器２２と、記録対象となる用紙Ｐの幅方向でもある走査方向Ｘに往復移動するキャリッジ２３と、キャリッジ２３に支持されている記録ヘッド２４とが設けられている。
【００２３】  中継器２２は、各液体収容ユニット４０，６０内の液体収容体３０（図３及び図６参照）と第１の供給チューブ４８，６８（図５及び図６参照）を介して接続されるとともに、記録ヘッド２４と第２の供給チューブ１０２（図１４参照）を介して接続されている。そのため、液体収容体３０に収容されているインクは、第１の供給チューブ４８，６８、中継器２２及び第２の供給チューブ１０２を通じて記録ヘッド２４に供給される。
【００２４】  図１に示すように、中継器２２は、筐体２１内において図中左上に配置されており、各液体収容ユニット４０，６０から供給されたインクを一時的に貯留するバッファー室を有する。この中継器２２のバッファー室内のインクが、第２の供給チューブ１０２（図１４参照）を通じて記録ヘッド２４に供給される。そして、中継器２２から供給されたインクを記録ヘッド２４が用紙Ｐに噴射することにより、用紙Ｐに記録（印刷）が施される。その後、記録済みとなった用紙Ｐは、筐体２１の前部中央に設けられている排出口２５から排出されて排出トレイ２６上に載置される。なお、本明細書における「前後方向」は、記録ヘッド２４によって記録が施されている用紙Ｐの搬送方向と一致している。また、本明細書では、記録ヘッド２４によってインクの噴射されている用紙Ｐの被記録面と直交（交差）する方向を「上下方向」というものとする。
【００２５】  また、筐体２１における排出トレイ２６の下側には上下二段の給紙カセット２７Ａ，２７Ｂが着脱可能に装着されており、これら給紙カセット２７Ａ，２７Ｂ内には複数枚の用紙Ｐが積層状態で収容されている。また、筐体２１の上部には、ユーザーが操作する操作部２８と、設定位置に設定された原稿に記録されている画像を読みとるスキャナー装置２９とが設けられている。
【００２６】  各液体収容ユニット４０，６０のうち第１の液体収容ユニット４０は、筐体２１の走査方向Ｘにおける両側の側壁のうち、中継器２２から離れている側壁（図中右側の側壁）に取り付けられている。また、第２の液体収容ユニット６０は、筐体２１の走査方向Ｘにおける両側の側壁のうち、中継器２２に近い側壁（図中左側の側壁）に取り付けられている。
【００２７】  次に、図２を参照し、液体収容ユニット４０，６０内に収容される液体収容体３０について説明する。  図２に示すように、液体収容体３０は可撓性材料で構成されている袋状のインクパック３１を有し、当該インクパック３１内にインクが収容されている。また、インクパック３１の図中上端には矩形環状の取手部３２が設けられており、インクパック３１と取手部３２との接続部分にはＩＣチップ３３が設けられている。このＩＣチップ３３には、インクパック３１内に収容されているインクに関する情報として、収容されているインクの種類（色など）やインク残量などが記憶される。そして、液体収容体３０が取手部３２を通じて液体収容ユニット４０，６０に取り付けられることにより、液体収容体３０内のインクの中継器２２への供給が可能となる。  尚、大容量の液体収容体３０を採用しようとした場合、液体収容ユニット４０，６０も大型化するが、液体収容ユニットを筐体２１の両側に配置することで液体収容ユニットの占有空間を分散することができる。その場合、液体収容ユニットの配置によっては、後述するように、供給チューブを長い距離引き回す必要が生じる。
【００２８】  次に、図３〜図５を参照し、第１の液体収容ユニット４０について説明する。  図３に示すように、第１の液体収容ユニット４０は、筐体２１の側壁に取り外し可能な状態で取り付けられるケース４１と、ケース４１の開口を閉塞する蓋体４２とを備えている。ケース４１は、有底箱状の液体受容部４３と、液体受容部４３において筐体２１と対向する側壁の上部に連結される側壁形成部材４４とを有している。このようにケース４１の底部を有底箱状の液体受容部４３で構成することにより、ケース４１内でインク漏れが発生しても、当該インクがケース４１外に漏れ出ることが抑制される。なお、図５では、液体収容体３０をケース４１内の所定位置まで案内するためのガイド部材（図示略）及び蓋体４２を取り除いた第１の液体収容ユニット４０が図示されている。
【００２９】  側壁形成部材４４の上部には、斜め前方に突出する複数（本実施形態では３つ）の支持機構４６が設けられており、これら各支持機構４６は、前後方向にほぼ等間隔に並んでいる。ケース４１と蓋体４２とによって形成される収納空間には、互いに異なる種類（色）のインクを収容する複数（ここでは３つ）の液体収容体３０が前後方向に並んで収納されており、液体収容体３０はその取手部３２を通じて支持機構４６に支持される。
【００３０】  一方、図４に示すように、側壁形成部材４４の外側には取付板４５が設けられており、ケース４１は取付板４５を通じて記録ユニット２０の筐体２１に取り付けられている。そして、第１の液体収容ユニット４０を記録ユニット２０から取り外すとき、取付板４５はケース４１と共に筐体２１から離間される。
【００３１】  また、図４及び図５に示すように、側壁形成部材４４には、ケース４１の内外を連通させる第２の貫通孔の一例である貫通孔４７が設けられている。この貫通孔４７は、前後方向に並ぶ各支持機構４６のうち、最も前に配置される支持機構４６の下方に位置している。すなわち、図５に示すように、貫通孔４７は、ケース４１が取り付けられる筐体２１の側壁に沿う一方向の一例である前後方向においてケース４１の中央Ｌよりも前側に位置している。また、この貫通孔４７は、ケース４１の前後方向における中央Ｌに向けて、すなわちケース４１の後方に向けて拡張されている。つまり、貫通孔４７は、前後方向に長い長孔である。なお、本明細書では、貫通孔４７の前部を「貫通孔の前部４７Ｆ」とし、この前部４７Ｆから後方に拡張された部分を「貫通孔の後部４７Ｂ」というものとする。
【００３２】  支持機構４６に支持されている液体収容体３０には、インクパック３１内のインクを記録ユニット２０に供給するための第１の供給チューブ４８の一端が接続されている。これら各第１の供給チューブ４８は、貫通孔の前部４７Ｆを介してケース４１外に出て、記録ユニット２０の筐体２１内に導かれている。そして、各第１の供給チューブ４８は、筐体２１内の中継器２２に接続されている。
【００３３】  ケース４１内では、各第１の供給チューブ４８は、貫通孔の前部４７Ｆに向けて一直線に伸びているのではなく、側壁形成部材４４に支持されている複数の拘束具４９によって湾曲した状態で拘束されている。特に、各液体収容体３０のうち、最も前に位置する液体収容体３０に接続される第１の供給チューブ４８は、側壁形成部材４４に沿って一回りされてから貫通孔の前部４７Ｆに向かうように引き回されている。なお、各拘束具４９による各第１の供給チューブ４８の拘束は、作業者が拘束具４９を変形させることにより解除可能である。そして、拘束具４９による各第１の供給チューブ４８の拘束が解除されると、各第１の供給チューブ４８の貫通孔４７を通じたケース４１外への引き出しが可能となる。
【００３４】  また、各支持機構４６に支持されている図３に示す液体収容体３０のＩＣチップ３３（図２参照）には、フレキシブルフラットケーブルである個別ケーブル５０の一端が電気的に接続されている。ケース４１内の各液体収容体３０のうち、最も後に位置する液体収容体３０と真ん中に位置する液体収容体３０とに電気的に接続される各個別ケーブル５０は、側壁形成部材４４に支持されているケーブル用拘束具５３によって拘束されている。なお、最も前に位置する液体収容体３０に電気的に接続される個別ケーブル５０は、他の個別ケーブル５０と同様にケーブル用拘束具で拘束してもよいし、ケーブル用拘束具で拘束しなくてもよい。
【００３５】  また、側壁形成部材４４において、最も前に配置される支持機構４６と貫通孔４７との間には、各個別ケーブル５０の他端が電気的に接続される中継基板５１が設けられている。また、中継基板５１には、中継基板５１を通じて各個別ケーブル５０に電気的に接続されるフレキシブルフラットケーブルである１本の統合ケーブル５２が着脱可能に接続されている。この統合ケーブル５２は、貫通孔の前部４７Ｆを介してケース４１外に出ている。そして、ケース４１外において、統合ケーブル５２は、記録ユニット２０の筐体２１内に導かれ、筐体２１内の中継器２２の近傍に設けられている統合回路基板１２１（図１９参照）に接続されている。したがって、本実施形態では、統合ケーブル５２が、第１の液体収容ユニット４０に接続されている「電線」の一例に相当する。
【００３６】  なお、複数の液体収容体３０が収納される第１の液体収容ユニット４０のケース４１内からは、一本のケーブル（すなわち、統合ケーブル５２）のみが出るようになっている。そのため、各個別ケーブル５０がケース４１外に出される場合と比較して、記録ユニット２０への第１の液体収容ユニット４０の組み付けが容易となる。
【００３７】  次に、図４及び図６を参照し、第２の液体収容ユニット６０について説明する。  図４及び図６に示すように、第２の液体収容ユニット６０は、第１の液体収容ユニット４０と同様に、別のケースの一例であるケース６１と、ケース６１の開口を閉塞する蓋体６２を備えている。ケース６１は、有底箱状の液体受容部６３と、液体受容部６３において筐体２１と対向する側壁の上部に連結される側壁形成部材６４とを有している。このようにケース６１の底部を有底箱状の液体受容部６３で構成することにより、ケース６１内でインク漏れが発生しても、当該インクがケース６１外に漏れ出ることが抑制される。そして、側壁形成部材６４の外側には第１の液体収容ユニット４０と同様に、取付板が設けられており、この取付板を通じて記録ユニット２０の筐体２１に第２の液体収容ユニット６０が取り付けられている。なお、図６では、液体収容体３０をケース６１内の所定位置まで案内するためのガイド部材（図示略）及び蓋体６２を取り除いた第２の液体収容ユニット６０が図示されている。
【００３８】  また、側壁形成部材６４の上部には、支持機構６６が設けられている。そして、ケース６１と蓋体６２とによって形成される収納空間内にはインク（例えば、黒インク）を収容する液体収容体３０が収納されており、液体収容体３０はその取手部３２を通じて支持機構６６に支持される。
【００３９】  支持機構６６に支持されている液体収容体３０には、インクパック３１内のインクを記録ユニット２０に供給するための第１の供給チューブ６８の一端が接続されている。側壁形成部材６４において支持機構６６よりも前方には貫通孔６７が設けられており、第１の供給チューブ６８は貫通孔６７を介してケース６１外に出ている。ケース６１内において第１の供給チューブ６８は、貫通孔６７に向けて一直線に伸びているのではなく、側壁形成部材６４に支持されている複数の拘束具６９によって湾曲した状態で拘束されている。そして、ケース６１外において第１の供給チューブ６８は、記録ユニット２０の筐体２１内に導かれて中継器２２に接続されている。なお、拘束具６９による第１の供給チューブ６８の拘束は、作業者が拘束具６９を変形させることにより解除可能である。そして、拘束具６９による第１の供給チューブ６８の拘束が解除されると、第１の供給チューブ６８の貫通孔６７を通じたケース６１外への引き出しが可能となる。
【００４０】  また、支持機構６６に支持されている液体収容体３０のＩＣチップ３３には、フレキシブルフラットケーブルである個別ケーブル７０の一端が着脱可能に電気的に接続されている。この個別ケーブル７０は、貫通孔６７を介してケース６１外に出ている。そして、ケース６１外において個別ケーブル７０は、記録ユニット２０の筐体２１内に導かれ、筐体２１内の中継器２２の近傍に設けられている中継回路基板１２０（図１９参照）に電気的に接続されている。
【００４１】  次に、図４及び図７〜図１１を参照し、記録ユニット２０について説明する。  図７（ａ）には、記録ユニット２０から意匠カバー（図示略）を取り外した状態の記録ユニット２０が図示されている。図７（ａ）に示すように、記録ユニット２０の筐体２１は、中継器２２、記録ヘッド２４及び図示しない制御装置などが収容されている筐体フレーム８０を備えている。この筐体フレーム８０の下方には底壁部材８１が設けられているとともに、筐体フレーム８０はカバー部材８２によって覆われている。
【００４２】  図７（ｂ）に示すように、カバー部材８２は、筐体フレーム８０の上部を覆う本体部８２Ａと、本体部８２Ａの走査方向Ｘにおける両端から下方に延出されている側壁部８２Ｂ，８２Ｃとを有しており、両側壁部８２Ｂ，８２Ｃの先端（下端）が底壁部材８１に接続されている。これら両側壁部８２Ｂ，８２Ｃは、意匠カバーが筐体２１に取り付けられた状態でも外部に露出している。そのため、カバー部材８２の側壁部８２Ｂが、第１の液体収容ユニット４０が取り付けられる筐体２１の側壁に相当し、側壁部８２Ｃが、第２の液体収容ユニット６０が取り付けられる筐体２１の側壁に相当する。
【００４３】  また、図８には、第１の液体収容ユニット４０と対向する側壁部８２Ｂの一部が図示されている。図７（ｂ）及び図８に示すように、この側壁部８２Ｂにおいて、第１の液体収容ユニット４０の側壁形成部材４４に設けられている貫通孔の前部４７Ｆと対向する位置には、下面に開口する切り欠き部８６が設けられている。この切り欠き部８６は、側壁部８２Ｂの前後方向における中央よりも前方に位置している。
【００４４】  こうした切り欠き部８６の前後方向における長さは、第１の液体収容ユニット４０の貫通孔４７の前後方向における長さよりも短い。カバー部材８２が筐体フレーム８０に取り付けられた状態では、図７（ａ）に示すように、切り欠き部８６の開口が底壁部材８１によって閉塞され、貫通孔８７が形成されている。そして、この貫通孔８７内を、各液体収容体３０に接続されている各第１の供給チューブ４８及び統合ケーブル５２が通過している。したがって、本実施形態では、この貫通孔８７が、液体収容体３０に接続されている各第１の供給チューブ４８が通過する「第１の貫通孔」の一例として機能する。
【００４５】  ここで、記録ユニット２０のメンテナンスを行う際には、カバー部材８２が筐体フレーム８０から取り外されることがある。こうしたメンテナンスの終了時には、カバー部材８２が筐体フレーム８０に組み付けられることとなる。このとき、カバー部材８２の側壁部８２Ｂには、その下面に開口する切り欠き部８６が設けられており、この切り欠き部８６内には、その開口を介して各第１の供給チューブ４８が収容される。そのため、カバー部材８２の筐体フレーム８０への組み付け時に、各第１の供給チューブ４８と統合ケーブル５２とが適切に保護される。また、各第１の供給チューブ４８を中継器２２に接続したままでの作業が可能となる。
【００４６】  また、図１１には、第２の液体収容ユニット６０と対向する側壁部８２Ｃの一部が図示されている。図１０及び図１１に示すように、この側壁部８２Ｃにおいて、第２の液体収容ユニット６０の側壁形成部材６４に設けられている貫通孔６７と対向する位置には、側壁部８２Ｃの前端及び上端に開口する切り欠き部９６が設けられている。切り欠き部９６は、図９に示すように、筐体フレーム８０内に設けられている中継器２２を前方から閉塞するための閉塞部材１２によって閉塞されており、貫通孔９７が形成されている。そして、この貫通孔９７内を、各液体収容体３０に接続されている第１の供給チューブ６８及び個別ケーブル７０が通過している。
【００４７】  次に、図１２〜図１８を参照し、第１の液体収容ユニット４０から筐体２１内に導かれた各第１の供給チューブ４８及び統合ケーブル５２の引き回し態様について説明する。  図１２に示すように、貫通孔８７を介して筐体フレーム８０内に導かれた各第１の供給チューブ４８は、筐体フレーム８０の前方下部に支持されているクランプ部材１０１によって束ねられている。そのため、各第１の供給チューブ４８は、筐体２１の側壁に形成されている貫通孔８７内の下部を通過している（図７（ａ）参照）。
【００４８】  こうしたクランプ部材１０１は、走査方向Ｘにおいて、排出口２５を挟んで中継器２２の反対側に配置されている。そして、クランプ部材１０１よりも下流側の各第１の供給チューブ４８は、走査方向Ｘにおける一方側から他方側に向けて引き回されている。
【００４９】  図１３及び図１４に示すように、上下方向において、中継器２２と記録ヘッド２４とを接続する第２の供給チューブ１０２と、用紙Ｐの排出口２５との間には、第１の液体収容ユニット４０から延びる各第１の供給チューブ４８を中継器２２まで通過させるための空間が形成されている。
【００５０】  すなわち、図１４及び図１５に示すように、上下方向において、各第２の供給チューブ１０２と各第１の供給チューブ４８との間には、各第２の供給チューブ１０２の位置する領域と、走査方向Ｘに沿う各第１の供給チューブ４８の位置する領域とを仕切る仕切部材１０３が設けられている。この仕切部材１０３は、キャリッジ２３の移動経路よりも前方であって、且つ走査方向Ｘに沿うように配置されている。すなわち、仕切部材１０３よりも上方に、キャリッジ２３の移動に応じた第２の供給チューブ１０２の追従変形が許容される領域が確保される。また、筐体２１内に位置する各第１の供給チューブ４８が、「供給チューブの上流側部分」の一例に相当し、各第２の供給チューブ１０２が、「供給チューブの下流側部分」の一例に相当する。そして、第１の供給チューブ４８と、中継器２２を介して第１の供給チューブ４８に接続されている第２の供給チューブ１０２とにより、第１の液体収容ユニット４０から供給されるインクを記録ヘッド２４に供給する「供給チューブ」の一例が構成される。また、第１の供給チューブ６８と、中継器２２を介して第１の供給チューブ６８に接続されている第２の供給チューブ１０２とにより、第２の液体収容ユニット６０から供給されるインクを記録ヘッド２４に供給する「別の供給チューブ」の一例が構成される。
【００５１】  また、図１４に示すように、仕切部材１０３の下部には、走査方向Ｘに沿う各第１の供給チューブ４８の収容空間１０４を仕切部材１０３とともに形成する空間形成部材１０５が取り付けられている。空間形成部材１０５は、クランプ部材１０１よりも上方に位置している。そのため、筐体２１の側壁に形成された貫通孔８７を介して筐体２１内に導かれた各第１の供給チューブ４８は、撓ませてから収容空間１０４内に進入したかたちとなっている。そして、収容空間１０４内の各第１の供給チューブ４８は、空間形成部材１０５によって支持されている。
【００５２】  図１４及び図１５に示すように、仕切部材１０３は、第１の仕切部材１０６と、第１の仕切部材１０６よりも下方に配置される第２の仕切部材１０７とを有している。第１及び第２の仕切部材１０６，１０７は、金属の板材で構成されている。第１の仕切部材１０６には、上下方向とほぼ直交する仕切板部１０６Ａと、仕切板部１０６Ａの前端から上方に立設している支持部１０６Ｂとが設けられている。この支持部１０６Ｂには、各第２の供給チューブ１０２を束ねるクランプ部材１０８が設けられている。そのため、本実施形態では、各第２の供給チューブ１０２においてクランプ部材１０８よりも記録ヘッド２４側となる部分が、キャリッジ２３の走査方向Ｘへの移動に伴って追従変形する部分に相当する。また、各第１の供給チューブ４８と、各第２の供給チューブ１０２においてクランプ部材１０８よりも中継器２２側となる部分が、キャリッジ２３が走査方向Ｘに移動しても追従変形しない部分に相当する。
【００５３】  第２の仕切部材１０７は第１の仕切部材１０６に支持されており、第１の仕切部材１０６の仕切板部１０６Ａと第２の仕切部材１０７との間には僅かな隙間が介在している。そして、この隙間内には、第１の液体収容ユニット４０から中継器２２の近傍に設けられている統合回路基板１２１（図１９参照）に向けて延びる統合ケーブル５２が位置している。
【００５４】  そして、図１６に示すように、上記の収容空間１０４を通過した各第１の供給チューブ４８は、上方に向けて湾曲されて中継器２２に接続されている。各第１の供給チューブ４８，６８と中継器２２との接続部分は、中継器２２と各第２の供給チューブ１０２との接続部分よりも上方に位置している。
【００５５】  なお、図１７及び図１８に示すように、収容空間１０４を通過して上方に湾曲された各第１の供給チューブ４８は、各第２の供給チューブ１０２よりも上方の領域で拘束部材１１０によって束ねられている。この拘束部材１１０は、各第１の供給チューブ４８を拘束するチューブ拘束部１１１と、第２の液体収容ユニット６０から筐体２１内に導かれた個別ケーブル７０を支持するケーブル支持部１１２と、第２の液体収容ユニット６０側から延びている電線７１が巻き付けられる線巻き付け部１１３とを有している。なお、この電線７１は、例えば、第２の液体収容ユニット６０において蓋体６２が開けられたか否かを検出するためのセンサーに接続されている電線であってもよい。
【００５６】  また、図１８に示すように、チューブ拘束部１１１は、開状態と閉状態とになりうる。すなわち、各第１の供給チューブ４８は、チューブ拘束部１１１が開状態になっているときに同チューブ拘束部１１１に組み付けられる。そして、この状態でチューブ拘束部１１１を閉状態にすることにより、各第１の供給チューブ４８が、拘束部材１１０に拘束される。
【００５７】  また、拘束部材１１０においてチューブ拘束部１１１の下側には、脚部１１４が設けられている。そして、拘束部材１１０は、脚部１１４を通じて筐体フレーム８０にスライド移動可能な状態で支持されている。
【００５８】  ここで、図１５を参照し、筐体２１内での各第１の供給チューブ４８の組み付け手順の一例について説明する。  図１５に示すように、筐体２１内に引き回された各第１の供給チューブ４８の下方に、空間形成部材１０５が配置され、この空間形成部材１０５に各第１の供給チューブ４８を支持させる。そして、各第１の供給チューブ４８の上方に第２の仕切部材１０７を配置させ、各第１の供給チューブ４８を支持する空間形成部材１０５が第２の仕切部材１０７に固定される。また、この第２の仕切部材１０７の上面に統合ケーブル５２が固定される。次いで、第２の仕切部材１０７の上方に第１の仕切部材１０６を配置し、仕切板部１０６Ａと第２の仕切部材１０７とによって統合ケーブル５２が挟み込まれるように、第２の仕切部材１０７が第１の仕切部材１０６に固定される。
【００５９】  なお、図１９に示すように、中継器２２よりも前方には、第２の液体収容ユニット６０から延びている個別ケーブル７０が電気的に接続される中継回路基板１２０が設けられている。また、中継器２２の後部上面には、第１の液体収容ユニット４０から延びている統合ケーブル５２が電気的に接続される統合回路基板１２１が設けられている。この統合回路基板１２１は、連絡ケーブル１２２を通じて中継回路基板１２０に電気的に接続されている。そして、統合回路基板１２１は、図示しないケーブルを介して図示しない制御装置に電気的に接続される。すなわち、このケーブルを介して、統合回路基板１２１に集まった各種情報が制御装置に伝達される。
【００６０】  次に、図２０を参照し、第１の液体収容ユニット４０を筐体２１から取り外して記録装置１１のメンテナンスを行う際の作用について説明する。  第１の液体収容ユニット４０内では、拘束具４９による各第１の供給チューブ４８の拘束が解除され、統合ケーブル５２が中継基板５１から取り外される。また、第１の液体収容ユニット４０を筐体２１に取り付けているボルトが外される。この状態で、例えば、第１の液体収容ユニット４０が筐体２１に対して前方にスライド移動される。この場合、ケース４１の貫通孔４７は後方に拡張された長孔であるため、貫通孔４７内で各第１の供給チューブ４８が後方に変位しても、各第１の供給チューブ４８は、貫通孔４７の後側の縁部に当接しにくい。すなわち、第１の液体収容ユニット４０を大幅に前方にスライド移動させることが可能となる。
【００６１】  そして、第１の液体収容ユニット４０をある程度前方にスライド移動させた後、図２０に示すように、第１の液体収容ユニット４０の後端が筐体２１から離間されるように、第１の液体収容ユニット４０が相対的に回動される。このとき、第１の液体収容ユニット４０内の各第１の供給チューブ４８は、拘束具４９による拘束が解除されているため、液体収容体３０に接続されたままで第１の液体収容ユニット４０の筐体２１からの相対的な変位に応じてケース４１外に引き出される。そのため、第１の液体収容ユニット４０の回動量を拡大させることができる。その結果、筐体２１の側方に大きな作業スペースが形成される。
【００６２】  しかも、第１の液体収容ユニット４０の回動に先立って、同第１の液体収容ユニット４０を前方にスライド移動させている。つまり、第１の液体収容ユニット４０の回動軸を、第１の液体収容ユニット４０のケース４１に設けられている貫通孔４７に近づけた状態で、第１の液体収容ユニット４０が回動されることとなる。そのため、上記の回動軸が貫通孔４７から離れている場合と比較して、第１の液体収容ユニット４０の回動に伴ってケース４１内から引き出される各第１の供給チューブ４８の量である引き出し量が短くなる。つまり、ケース４１内での各第１の供給チューブ４８の湾曲度合いをあまり大きくしなくてもよい。
【００６３】  また、上記の回動軸から第１の液体収容ユニット４０の後端までの距離が短くなるため、記録装置１１の設置位置周辺の作業スペースが狭くても、第１の液体収容ユニット４０を筐体２１に対して好適に回動させることができる。したがって、作業者がメンテナンスを行いやすくなる。
【００６４】  なお、筐体２１内では、クランプ部材１０１によって各第１の供給チューブ４８が束ねられている。そして、第１の液体収容ユニット４０を回動させる場合、こうしたクランプ部材１０１から各第１の供給チューブ４８を取り外すことにより、筐体２１内から各第１の供給チューブ４８を筐体２１外に引き出すことができる。これにより、第１の液体収容ユニット４０の回動量をさらに大きくすることができる。
【００６５】  以上、上記実施形態によれば、以下のような効果を得ることができる。  （１）第１の液体収容ユニット４０のケース４１に設けられている貫通孔４７が、筐体２１を構成するカバー部材８２の側壁部８２Ｂに設けられている貫通孔８７よりも拡張されている。そのため、第１の液体収容ユニット４０を筐体２１に対して相対的に回動させたり前方にスライド移動させたりしても、各第１の供給チューブ４８が貫通孔４７の周縁に引っかかりにくい。その結果、第１の液体収容ユニット４０内に収納されている液体収容体３０と筐体２１内の中継器２２との第１の供給チューブ４８を介した接続を維持した状態での第１の液体収容ユニット４０の筐体２１に対する相対的な変位量を大きくすることができる。これにより、第１の液体収容ユニット４０と筐体２１との間に大きな作業スペースを確保しやすくなり、記録装置１１のメンテナンスが行いやすくなる。したがって、筐体２１の外部に設けられている液体収容体３０と筐体２１内に設けられている中継器２２との第１の供給チューブ４８を介した接続を維持した状態で第１の液体収容ユニット４０を筐体２１に対して相対的に変位させることにより、メンテナンスの容易性を高めることができる。
【００６６】  （２）第１の液体収容ユニット４０のケース４１に設けられている貫通孔４７は、側壁形成部材４４の前方に設けられているとともに、後方に向けて拡張されている。そのため、第１の液体収容ユニット４０を筐体２１に対して前方に相対的にスライド移動させた後に、第１の液体収容ユニット４０をその後部を筐体２１から離間させる方向に回動させることにより、記録装置１１の設置位置の周辺のスペースが狭くても、第１の液体収容ユニット４０を筐体２１に対して適切に回動させることができる。したがって、液体収容体３０と中継器２２との第１の供給チューブ４８を介した接続を維持した状態での第１の液体収容ユニット４０の筐体２１に対する相対的な変位量を大きくすることができる。
【００６７】  （３）また、第１の液体収容ユニット４０内では、各第１の供給チューブ４８が拘束具４９によって湾曲した状態で拘束されている。そのため、拘束具４９による各第１の供給チューブ４８の拘束を解除させることにより、第１の液体収容ユニット４０内で撓んでいた各第１の供給チューブ４８を第１の液体収容ユニット４０外に引き出すことができる。その結果、第１の液体収容ユニット４０を筐体２１から離れる方向に変位させやすくすることができる。
【００６８】  （４）また、筐体２１内では、第１の液体収容ユニット４０から延びる各第１の供給チューブ４８が位置する領域と、中継器２２と記録ヘッド２４とを接続する各第２の供給チューブ１０２が位置する領域とが仕切部材１０３によって仕切られている。これにより、各第２の供給チューブ１０２によって邪魔されることなく、各第１の供給チューブ４８を筐体２１内で引き回すことができる。したがって、筐体２１の外部に設けられている液体収容体３０内のインクを記録ヘッド２４に供給するための各第１の供給チューブ４８及び各第２の供給チューブ１０２を筐体２１内で好適に引き回すことができる。また、キャリッジ２３の移動に伴って各第２の供給チューブ１０２が追従変形した際に、追従変形する各第２の供給チューブ１０２と各第１の供給チューブ４８との干渉を回避することができる。
【００６９】  （５）また、第１の液体収容ユニット４０から筐体２１内に導かれた統合ケーブル５２は、中継器２２の近傍に配置される統合回路基板１２１に接続される。このとき、この統合ケーブル５２は、仕切部材１０３の中に配置される。そのため、筐体２１内での統合ケーブル５２と第１の供給チューブ４８や第２の供給チューブ１０２との干渉を抑制することができる。
【００７０】  （６）具体的には、仕切部材１０３を第１の仕切部材１０６と第２の仕切部材１０７とで構成し、第１の仕切部材１０６と第２の仕切部材１０７との間に統合ケーブル５２が配置される。このように仕切部材１０３を第１の仕切部材１０６と第２の仕切部材１０７とで構成することにより、統合ケーブル５２を仕切部材１０３の中に配置する構成を容易に実現させることができる。
【００７１】  （７）また、第１の仕切部材１０６及び第２の仕切部材１０７の双方を金属で構成している。そのため、統合ケーブル５２に流れている信号への電気的なノイズの重畳を抑制することができる。
【００７２】  （８）また、筐体２１内では、第２の供給チューブ１０２の位置する領域と、統合ケーブル５２の位置する領域とが、第１の仕切部材１０６によって仕切られている。そのため、キャリッジ２３の走査方向Ｘへの移動に伴って第２の供給チューブ１０２が追従変形しても、第２の供給チューブ１０２と統合ケーブル５２との干渉を第１の仕切部材１０６によって回避することができる。
【００７３】  なお、上記実施形態は以下のように変更してもよい。  ・図２１及び図２２に示すように、筐体フレーム８０とカバー部材８２の側壁部８２Ｂとの間に、第１の液体収容ユニット４０からの各第１の供給チューブ４８及び統合ケーブル５２を筐体フレーム８０内に導くためのトンネル部材１５０を設けてもよい。
【００７４】  トンネル部材１５０は、筐体フレーム８０に支持されており、走査方向Ｘに突出する屋根部１５１と、屋根部１５１から前方に突出する間隔保持部１５２とを有している。屋根部１５１は、下方が開口している逆Ｕ字状をなしており、カバー部材８２の側壁部８２Ｂと底壁部材８１とによって形成されている貫通孔８７を貫通している（図２１参照）。図２２及び図２３に示すように、屋根部１５１内を通過した第１の供給チューブ４８及び統合ケーブル５２は、屋根部１５１内と連通している間隔保持部１５２内を通過している。
【００７５】  記録装置１１をメンテナンスする際に、第１の液体収容ユニット４０に収納されている液体収容体３０と中継器２２との第１の供給チューブ４８を介した接続を維持した上でカバー部材８２を筐体フレーム８０から取り外すことがある。この場合、メンテナンスの終了時には、筐体フレーム８０にカバー部材８２を再び取り付けることとなる。この別の実施形態では、第１の液体収容ユニット４０のケース４１から出て筐体フレーム８０に向かう各第１の供給チューブ４８は、トンネル部材１５０によって上方及び側方が覆われている。そのため、カバー部材８２の筐体フレーム８０への組み付け時におけるカバー部材８２と各第１の供給チューブ４８との干渉をトンネル部材１５０によって抑制することができる。すなわち、各第１の供給チューブ４８の破損を生じにくくさせることができる。
【００７６】  ・仕切部材１０３の走査方向Ｘにおける両端部のうち中継器２２に近い側の端部が、中継器２２よりも走査方向Ｘにおける内側に位置する場合、図２２及び図２３に示すように、中継器２２よりも走査方向Ｘにおける内側に、各第１の供給チューブ４８を上方に湾曲させるための湾曲補助部材１８０を設けてもよい。湾曲補助部材１８０には、各第１の供給チューブ４８が、上下方向に延びる軸線を中心に螺旋状をなすように巻き付けられている。そして、湾曲補助部材１８０によって上方に導かれた各第１の供給チューブ４８が、中継器２２に接続されている。
【００７７】  ・上記実施形態では、第１の液体収容ユニット４０内において最も前に位置する液体収容体３０に接続される第１の供給チューブ４８は、第１の液体収容ユニット４０を筐体２１から離す際にケース４１から大幅に引き出されるように一回りされてからケース４１外に出されている。しかし、記録装置１１のメンテナンス時において第１の液体収容ユニット４０を筐体２１から大きく離すことできる場合には、第１の液体収容ユニット４０のケース４１内で、最も前に位置する液体収容体３０に接続される第１の供給チューブ４８を一回りさせなくてもよい。
【００７８】  ・第１の液体収容ユニット４０を筐体２１から離間させる際に、筐体２１内から第１の供給チューブ４８が引き出されるのであれば、第１の液体収容ユニット４０のケース４１内では、第１の供給チューブ４８を湾曲した状態で拘束しなくてもよい。
【００７９】  ・第１の液体収容ユニット４０の側壁形成部材４４に設けられている貫通孔４７をカバー部材８２の側壁部８２Ｂの貫通孔８７よりも拡張させることにより、第１の液体収容ユニット４０の筐体２１に対する相対的な変位量を大きくすることができるのであれば、貫通孔４７を任意の方向に拡張させてもよい。例えば、貫通孔４７を、カバー部材８２の側壁部８２Ｂの貫通孔８７よりも前方に拡張してもよいし、上方及び下方の少なくとも一方に拡張してもよい。
【００８０】  ・カバー部材８２の側壁部８２Ｂの貫通孔８７は、第１の液体収容ユニット４０から延びている各第１の供給チューブ４８を筐体２１内に導くことができるのであれば、側壁部８２Ｂの前後方向における中央などのように、側壁部８２Ｂの前部以外の任意の位置に設けてもよい。
【００８１】  ・カバー部材８２の側壁部８２Ｂの貫通孔８７を、第１の液体収容ユニット４０の側壁形成部材４４に設けられている貫通孔４７よりも拡張させてもよい。記録ユニット２０の重量よりも第１の液体収容ユニット４０の重量のほうが重いときには、記録ユニット２０を変位させることがある。この場合、貫通孔８７が拡張されているため、各第１の供給チューブ４８が貫通孔８７の周縁に引っかかりにくい。そのため、記録ユニット２０を第１の液体収容ユニット４０に対して相対的に変位させることができる。
【００８２】  ・第２の液体収容ユニット６０の側壁形成部材６４に設けられている貫通孔６７を、筐体２１において第２の液体収容ユニット６０に対向する側壁に設けられている貫通孔９７よりも拡張させるようにしてもよい。このように構成すると、第２の液体収容ユニット６０に収納されている液体収容体３０と中継器２２との第１の供給チューブ６８を介した接続を維持した上で第２の液体収容ユニット６０を筐体２１に対して相対的に変位させる際にその変位量を大きくすることができる。その結果、第２の液体収容ユニット６０を筐体２１から取り外した上でのメンテナンスを行いやすくすることができる。
【００８３】  ・第１及び第２の各仕切部材１０６，１０７のうち少なくとも一方は、金属以外の他の材料で構成したものであってもよい。この場合であっても、上記（５），（６）と同等の効果を得ることができる。
【００８４】  ・第１の液体収容ユニット４０から筐体２１内に導かれた統合ケーブル５２は、各第１の供給チューブ４８と各第２の供給チューブ１０２との間に配置しなくてもよい。例えば、統合ケーブル５２を、各第１の供給チューブ４８よりも下方、すなわち空間形成部材１０５よりも下方に配置してもよい。この場合であっても、上記第１の実施形態の場合と同様に、キャリッジ２３の移動に伴って変形する各第２の供給チューブ１０２と統合ケーブル５２との干渉を抑制することができる。
【００８５】  ・仕切部材１０３とは別の仕切部材を、各第１の供給チューブ４８よりも下方に設けてもよい。この場合、該別の仕切部材よりも下方の領域に統合ケーブル５２を設け、別の仕切部材よりも上方の領域に、各第１の供給チューブ４８及び各第２の供給チューブ１０２を設けるようにしてもよい。
【００８６】  ・仕切部材１０３とは別の仕切部材を、各第２の供給チューブ１０２よりも上方に設けてもよい。この場合、該別の仕切部材よりも上方の領域に統合ケーブル５２を設け、別の仕切部材よりも下方の領域に、各第１の供給チューブ４８及び各第２の供給チューブ１０２を設けるようにしてもよい。
【００８７】  ・第１の仕切部材１０６を挟んで各第２の供給チューブ１０２の位置する領域とは反対側に位置する電線は、統合ケーブル５２以外の電線であってもよい。例えば、当該電線としては、筐体２１内に設けられる各種センサーに接続される電線であってもよいし、筐体２１内に設けられている各種のアクチュエーター（吸引ポンプの駆動源など）に接続されている電線であってもよい。
【００８８】  ・図１５に示すように、各第２の供給チューブ１０２は、後方に向けて湾曲されてから記録ヘッド２４に接続されている。しかし、記録ヘッド２４が、各第２の供給チューブ１０２と中継器２２との接続部分よりも上方に位置している場合、各第２の供給チューブ１０２を上方に湾曲させてから記録ヘッド２４に接続させるようにしてもよい。
【００８９】  ・各第１の供給チューブ４８を、仕切部材１０３よりも上方の領域に配置し、各第２の供給チューブ１０２を仕切部材１０３よりも下方の領域に位置するようにしてもよい。  ・中継器２２から記録ヘッド２４までの間で、各第２の供給チューブ１０２を筐体フレーム８０に支持させるための拘束部材を設けなくてもよい。この場合、各第２の供給チューブ１０２全体が、キャリッジ２３の走査方向Ｘへの移動に伴って追従変形する部分に相当することとなる。
【００９０】  ・中継器２２を設けなくてもよい。この場合、液体収容体３０に接続されている第１の供給チューブ４８，６８は、記録ヘッド２４に直接接続されることとなる。そして、この場合、第１の供給チューブ４８は、筐体２１内では以下のように引き回されることとなる。
【００９１】  すなわち、図２４に示すように、第１の供給チューブ４８は、走査方向Ｘに沿うように配置されている仕切部材１０３よりも下方の領域を、第１の液体収容ユニット４０側から第２の液体収容ユニット６０側に向けて延び、仕切部材１０３の第２の液体収容ユニット６０側の端部１０３Ａから上方に湾曲される。そして、この第１の供給チューブ４８は、仕切部材１０３よりも上方の領域で第１の液体収容ユニット４０側に引き戻され、記録ヘッド２４に接続されている。
【００９２】  この場合、キャリッジ２３が走査方向Ｘに移動される際に第１の供給チューブ４８においてキャリッジ２３の移動に追従変形する部分と第１の供給チューブ４８の他の部分との干渉が、仕切部材１０３によって抑制される。すなわち、第１の液体収容ユニット４０内に設けられている液体収容体３０内のインクを記録ヘッド２４に供給するための第１の供給チューブ４８を筐体２１内で好適に引き回すことにより、キャリッジ２３が移動するときには第１の供給チューブ４８の一部を適切に変形させることができる。
【００９３】  ・第１の液体収容ユニット４０は、その内部に３つ以外の任意数（例えば、１つや４つ）の液体収容体３０が収納することのできる構成であってもよい。  ・ケース４１内に収容される液体収容体３０は、補充式の液体収容体であってもよい。
【００９４】  ・液体収容体３０は、筐体２１に取り付けられているケース４１，６１内に収納されていないものであってもよい。この場合、液体収容体３０は、パック状ではなく、箱状のものであってもよい。
【００９５】  ・被記録媒体は、用紙Ｐだけでなく、布やプラスチックフィルムなどであってもよい。  ・記録装置は、インク以外の他の液体を噴射したり吐出したりして記録を行う液体噴射装置であってもよい。例えば、記録装置は、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、記録装置は、ゲル（例えば物理ゲル）などの流状体を噴射する流状体噴射装置であってもよい。
【符号の説明】
【００９６】  １１…記録装置、２１…筐体、２２…中継器、２３…キャリッジ、２４…記録ヘッド、３０…液体収容体、４０…第１の液体収容ユニット（液体収容ユニットの一例）、４１…ケース、４４…側壁形成部材（ケースの側壁の一例）、４７…貫通孔（第２の貫通孔の一例）、４８…第１の供給チューブ（供給チューブの一例）、５２…統合ケーブル、６１…他のケースの一例であるケース、６８…第１の供給チューブ（別の供給チューブ）、６９…拘束具、８２Ｂ…カバー部材の側壁部（筐体の側壁の一例）、８７…貫通孔（第１の貫通孔の一例）、１０２…第２の供給チューブ（他の供給チューブの一例）、１０３…仕切部材、１０６…第１の仕切部材、１０７…第２の仕切部材、Ｐ…被記録媒体の一例である用紙。
【図１】
2015136831.tif 000003
【図２】
2015136831.tif 000004
【図３】
2015136831.tif 000005
【図４】
2015136831.tif 000006
【図５】
2015136831.tif 000007
【図６】
2015136831.tif 000008
【図７】
2015136831.tif 000009
【図８】
2015136831.tif 000010
【図９】
2015136831.tif 000011
【図１０】
2015136831.tif 000012
【図１１】
2015136831.tif 000013
【図１２】
2015136831.tif 000014
【図１３】
2015136831.tif 000015
【図１４】
2015136831.tif 000016
【図１５】
2015136831.tif 000017
【図１６】
2015136831.tif 000018
【図１７】
2015136831.tif 000019
【図１８】
2015136831.tif 000020
【図１９】
2015136831.tif 000021
【図２０】
2015136831.tif 000022
【図２１】
2015136831.tif 000023
【図２２】
2015136831.tif 000024
【図２３】
2015136831.tif 000025
【図２４】
2015136831.tif 000026
【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
往復移動するキャリッジに支持され、被記録媒体に対して液体を噴射して記録を行う記録ヘッドと、
液体収容体内の液体を前記記録ヘッドに導くとともに、前記記録ヘッドの往復移動に伴って前記記録ヘッド側が追従変形する供給チューブと、
前記液体供給チューブを上下に仕切る仕切部材と、を備え、
前記液体供給チューブは、前記仕切部材により折り返される第１の部分と、それよりもヘッド側で折り返され、追従変形する第２の部分と、
を備え、
前記第１の部分と前記第２の部分が前記仕切部材により仕切られる
ことを特徴とする記録装置。
【請求項２】
前記筐体内には中継器が設けられており、
前記第１の部分は、前記液体収容体と前記中継器とを接続する第１の供給チューブであり、
前記第２の部分は、前記中継器と前記記録ヘッドとを接続する第２の供給チューブである
請求項１に記載の記録装置。
【請求項３】
前記液体収容体が収納されるケースを有する液体収容ユニットを有し、
前記仕切部材の中に、前記液体収容ユニットに接続されている電線が配置されている
請求項１に記載の記録装置。
【請求項４】
前記仕切部材は、第１の仕切部材と第２の仕切部材とを有し、
前記電線は、前記第１の仕切部材と前記第２の仕切部材との間の隙間に配置されている
請求項３に記載の記録装置。
【請求項５】
前記第１の仕切部材及び前記第２の仕切部材は金属で構成されている
請求項４に記載の記録装置。
【請求項６】
前記液体収容体が収納されるケースを備え、
前記ケースは、前記キャリッジを収容する筐体において記録対象である被記録媒体の幅方向における一端に位置する側壁に取り付けられ、
前記中継器は、前記筐体内において前記幅方向における他端側に設けられている
請求項２に記載の記録装置。
【請求項７】
前記筐体の外部であって、且つ同筐体を挟んだ前記ケースの反対側に配置される別のケースと、
前記別のケース内に収納されている液体収容体内の液体を前記記録ヘッドに供給するための別の供給チューブと、を備える
請求項６に記載の記録装置。
【請求項８】
筐体と、
前記筐体内で走査方向に往復移動するキャリッジに支持され、被記録媒体に対して液体を噴射して記録を行う記録ヘッドと、
液体収容体内の液体を前記記録ヘッドに導く供給チューブと、
前記筐体内で引き回されている電線と、を備えた記録装置において、
前記筐体内を上下に仕切る仕切部材をさらに備え、
前記仕切部材よりも上側の領域及び下側の領域の一方には、前記供給チューブが位置し、前記上側の領域と前記下側の領域の他方には、前記電線が位置している
ことを特徴とする記録装置。
【請求項９】
前記液体収容体が収納されるケースを有する液体収容ユニットを有し、
前記電線は、前記液体収容ユニットから前記筐体内に導かれている電線である
請求項８に記載の記録装置。
【国際調査報告】
2015136831.tif 000027
2015136831.tif 000028
2015136831.tif 000029
2015136831.tif 000030